【手続補正書】
【提出日】平成19年8月31日(2007.8.31)
【手続補正１】
【補正対象書類名】特許請求の範囲
【補正対象項目名】請求項１
【補正方法】変更
【補正の内容】
【請求項１】
複数個の音楽コンテンツのデータが格納されている音楽コンテンツデータ記憶部から、再生対象の音楽コンテンツのデータを取得する第１の取得手段と、
前記音楽コンテンツと対応付けられて、少なくとも前記音楽コンテンツの楽曲素材単位の楽曲構成情報を含む属性情報記憶部から属性情報を取得する第２の取得手段と、
前記音楽コンテンツと対応付けられて、前記楽曲構成情報と関連付けられて生成されているアレンジ用情報を取得する第３の取得手段と、
前記第１の取得手段により取得した前記再生対象の音楽コンテンツデータを音響再生出力する手段と、
リスナーのアレンジ指示を受け付けるアレンジ指示受付手段と、
前記アレンジ指示受付手段で受け付けたアレンジ指示に応じて、前記第２の取得手段により取得した前記楽曲構成情報と、前記第３の取得手段により取得した前記アレンジ用情報とに基づいて、前記音響再生出力する前記再生対象の音楽コンテンツのデータを再構成する再構成手段と、
を備える音楽コンテンツの再生装置。
【手続補正２】
【補正対象書類名】特許請求の範囲
【補正対象項目名】請求項２
【補正方法】変更
【補正の内容】
【請求項２】
請求項１に記載の音楽コンテンツの再生装置において、
楽曲の小節に対応する周期の信号と楽曲の拍に対応する周期の信号とを含む同期信号を発生すると共に、楽曲再構成用情報を前記同期信号に同期して発生するリズムマスター手段と、
前記第１の取得手段により取得した前記再生対象の音楽コンテンツデータを、前記リズムマスター手段からの前記同期信号と前記楽曲再構成用情報とに基づくと共に、前記第３の取得手段により取得した前記アレンジ用情報を用いて再構成して、出力楽曲データを生成して音響再生出力するリズムスレーブ手段と、
を備えることを特徴とする音楽コンテンツの再生装置。
【手続補正３】
【補正対象書類名】明細書
【補正対象項目名】０００４
【補正方法】変更
【補正の内容】
【０００４】
また、例えば、ユーザの過去の音楽コンテンツに関する再生履歴を利用して、ユーザに、再生楽曲候補を推薦するシステムも提供されている（例えば、特許文献１（特開２００３−１７３３５０号公報）参照）。
【手続補正４】
【補正対象書類名】明細書
【補正対象項目名】０００５
【補正方法】変更
【補正の内容】
【０００５】
上記の特許文献は、次の通りである。
【特許文献１】特開２００３−１７３３５０号公報
【手続補正５】
【補正対象書類名】明細書
【補正対象項目名】００３７
【補正方法】変更
【補正の内容】
【００３７】
例えば、リスナーが聴取している楽曲に嗜好を示しており、いわゆる「楽曲に乗っている」状態のときには、リスナーの体動や呼吸は、演奏される音楽のリズムやテンポなどと同期したものとなることがある。例えば、ゆっくりとしたメロディーを演奏するようにしたときには、体動や呼吸は、それに合わせたゆっくりしたものとなり、また、急激に大きな音に移行するときには、それに合わせて体動が大きくなると共に、呼吸もそれに合わせて吸気から、一旦、息を止め、一気に呼気に移るなどの変化をすることがある。
【手続補正６】
【補正対象書類名】明細書
【補正対象項目名】００４４
【補正方法】変更
【補正の内容】
【００４４】
映像・音響出力部５０は、音響データデコード部５１と、音響アレンジ部５２と、音響出力部５３と、映像データデコード部５４と、映像アレンジ部５５と、映像出力部５６と、Ｉ／Ｏポート５７とからなる。
【手続補正７】
【補正対象書類名】明細書
【補正対象項目名】００４９
【補正方法】変更
【補正の内容】
【００４９】
リミックスの場合には、ＣＰＵ１の指示に従い、再生中の楽曲以外の他の楽曲から抽出されるリミックスする音響データが、音響データデコード部５１に供給される。したがって、この実施形態では、音響データデコード部５１は、再生中の音響データのデコード処理と、リミックスする音響データのデコード処理とを並行して実行することができる機能を備えている。
【手続補正８】
【補正対象書類名】明細書
【補正対象項目名】００５３
【補正方法】変更
【補正の内容】
【００５３】
この映像アレンジ部５５の出力映像データは、映像出力部５６に供給される。映像出力部５６は、デジタル映像データをデジタル映像信号のまま、若しくは必要に応じてアナログ映像信号に変換し、映像出力端子を通じてディスプレイの画面に表示される。
【手続補正９】
【補正対象書類名】明細書
【補正対象項目名】００６６
【補正方法】変更
【補正の内容】
【００６６】
また、各楽曲毎に、ユーザが作成したアレンジ用情報をサーバ装置６にアップロードしたり、音楽コンテンツの制作者が作成したものをサーバ装置６に用意しておいたりしておくことで、任意のユーザが、適宜、サーバ装置６に問い合わせて、無料あるいは有料で取得することができるようにしても良い。
【手続補正１０】
【補正対象書類名】明細書
【補正対象項目名】００７８
【補正方法】変更
【補正の内容】
【００７８】
例えば、明るい／暗いの感性軸の場合、図４に示すように、主観的な感覚的認識の程度を、例えば、１６段階の数値で表す。図４の例では、明るいとされる場合ほど数値が大きく、最も暗いとされる場合の数値として「−８」が割り当てられている。優しい／激しい、楽しい／悲しいなどの他の感性軸についても同様とすることができる。感性軸は、これらの他にも設定することが可能である。
【手続補正１１】
【補正対象書類名】明細書
【補正対象項目名】００７９
【補正方法】変更
【補正の内容】
【００７９】
図４のように、これらの感性軸上の値が設定されると、それらの値を線で結ぶことにより、曲調に応じた形の図形（図４では六角形の形が曲調に応じて変化）が得られる。換言すれば、これらの感性軸を用いることにより、似た曲調の楽曲を容易に検索することができる。
【手続補正１２】
【補正対象書類名】明細書
【補正対象項目名】００８９
【補正方法】変更
【補正の内容】
【００８９】
すなわち、曲調分析部１３でＤＶＤやダウンロードした音響データを解析して、楽曲構成情報を取得して、それを属性情報の一部として記録する。また、ユーザは、自分が当該楽曲を実際に聴取した主観的な感覚的程度値の感性情報として、前述したような１６段階のいずれかの数値を入力する。そして、この感性情報を属性情報の一部として記録する。さらに、周辺環境情報取得部４０で取得した周辺環境情報も属性情報の一部として記録する。さらには、再生履歴情報も必要に応じて属性情報として記録するようにする。
【手続補正１３】
【補正対象書類名】明細書
【補正対象項目名】０１０７
【補正方法】変更
【補正の内容】
【０１０７】
この図８に示すように、音声コンテンツデータや映像コンテンツデータなどのコンテンツデータ（映像音響データ）Ｄｔが光ディスク２０ＲＤのデータ格納領域に格納されている。そして、図８に示すように、光ディスク２０ＲＤには、光ディスクに通常設けられるリードインエリア、ＴＯＣ（Ｔａｂｌｅ  Ｏｆ  Ｃｏｎｔｅｎｔｓ）エリア、リードアウトエリアのほかに、コンテンツ属性情報Ａｔの格納エリアが設けられ、ここに属性情報が格納されるようにされている。コンテンツデータＤｔが、複数の楽曲のデータを含む場合には、それぞれの楽曲についての属性情報が記録される。この場合、コンテンツデータＤｔと属性情報Ａｔとは、前述したように音楽コンテンツ識別情報（音楽コンテンツＩＤ）によって対応付けられている。
【手続補正１４】
【補正対象書類名】明細書
【補正対象項目名】０１３５
【補正方法】変更
【補正の内容】
【０１３５】
この記録すべき属性情報の仮リストの呈示を受けたユーザは、属性情報について修正や追加が必要だと判断したときには、ユーザインターフェース１１の操作部を通じて所定の操作を行ない、そのままの属性情報で良いとしたときには、ユーザインターフェース１１の決定キーなどを操作して、その旨を入力する。
【手続補正１５】
【補正対象書類名】明細書
【補正対象項目名】０１４５
【補正方法】変更
【補正の内容】
【０１４５】
この記録すべき属性情報の仮リストの呈示を受けたユーザは、属性情報について修正や追加が必要だと判断したときには、ユーザインターフェース１１の操作部を通じて所定の操作を行ない、そのままの属性情報で良いとしたときには、ユーザインターフェース１１の決定キーなどを操作して、その旨を入力する。
【手続補正１６】
【補正対象書類名】明細書
【補正対象項目名】０１５９
【補正方法】変更
【補正の内容】
【０１５９】
そして、２番目以降の楽曲を聴取しているときにも、リスナーから取得した生体情報に基づいて、当該聴取中の楽曲に嗜好を示しているかを常時判定して、上述と同様の処理を行ない、次の楽曲再生候補を更新してゆくようにする。これにより、この実施形態によれば、リアルタイムで、次の楽曲再生候補を更新しながらユーザに呈示することができるという効果がある。
【手続補正１７】
【補正対象書類名】明細書
【補正対象項目名】０１６１
【補正方法】変更
【補正の内容】
【０１６１】
また、いわゆるプレイリスト（再生楽曲候補のリスト）をユーザ側で作成して、その順序で再生するという例もあるが、この方法の場合には、ユーザ側で、いちいちプレイリストを作成する必要があり、手間がかかるものである。さらに、内蔵記憶部に保存される楽曲が増加するごとに、当該プレイリストを手直しする必要があるという問題もあった。そして、この方法も、ユーザの嗜好を積極的に考慮しているわけではないという問題もあった。
【手続補正１８】
【補正対象書類名】明細書
【補正対象項目名】０１９８
【補正方法】変更
【補正の内容】
【０１９８】
映像音響データ選択判断制御部２０１は、リズムマスター部２１０に属する映像音響データ選択判断制御ＲＭ（ＲＭはリズムマスターの略）部２０１Ｍと、リズムスレーブ部２２０に属する映像音響データ選択判断制御ＲＳ（ＲＳは、リズムスレーブの略）部２０１Ｓとに分けられる。また、属性情報取得部２０３は、リズムマスター部２１０と、リズムスレーブ部２２０の両方に属するものとされる。
【手続補正１９】
【補正対象書類名】明細書
【補正対象項目名】０２１２
【補正方法】変更
【補正の内容】
【０２１２】
同期信号生成部２１２は、ＰＬＬ（Ｐｈａｓｅ  Ｌｏｃｋｅｄ  Ｌｏｏｐ）回路２１６を備え、属性情報解析部２１１からのＢＰＭ値に相当する発振周波数で発振し、かつ、再生対象の音楽コンテンツの小節および拍に位相同期する小節同期信号ＰＨＳＹおよびビート同期信号ＢＴＳＹとからなる同期信号ＳＹＮＣを、前記ＰＬＬ回路２１６を用いて生成し、生成した同期信号ＳＹＮＣを同期信号出力回路２１３を通じて、図１５に示すように、ＲＳ部２０１Ｓに供給する。
【手続補正２０】
【補正対象書類名】明細書
【補正対象項目名】０２１５
【補正方法】変更
【補正の内容】
【０２１５】
ＲＭ部２０１Ｍは、同期信号ＳＹＮＣおよび楽曲再構成用データＡＲＩを、音楽コンテンツの楽曲データの再生に同期して、属性情報取得部２０３からの属性情報に基づいてリアルタイムに生成し、リズムスレーブ部２２０のＲＳ部２０１Ｓに供給する。
【手続補正２１】
【補正対象書類名】明細書
【補正対象項目名】０２１６
【補正方法】変更
【補正の内容】
【０２１６】
次に、この第１の実施形態におけるリズムスレーブ部２２０の詳細構成例を図１７に示す。リズムスレーブ部２２０のＲＳ部２０１Ｓは、機能的には、図１７に示すような構成とされるもので、アレンジ制御部２２１と、テンポ補正量算出部２２２と、音程補正量算出部２２３とを備えている。また、リズムスレーブ部２２０の映像音響アレンジ処理部２０６は、テンポ補正回路２２５と、音程補正回路２２６と、ミキサーおよびエフェクト回路２２７とからなる。
【手続補正２２】
【補正対象書類名】明細書
【補正対象項目名】０２１８
【補正方法】変更
【補正の内容】
【０２１８】
この楽曲再構成用属性情報テーブル２２４の一部の一例を図１８に示す。この図１８の例の楽曲再構成用属性情報テーブル２２４は、この実施形態では、再構成処理の一例としてリミックスを行なうので、リミックス用の属性情報テーブルの構成となっている。そして、図１８の楽曲再構成用属性情報テーブル２２４は、それぞれの楽曲素材名について、コード値と、ＢＰＭ値と、楽器名と、感性値とからなる。感性値は、この例では、明るい感じのみとしているが、当然ながらこの限りではない。
【手続補正２３】
【補正対象書類名】明細書
【補正対象項目名】０２２０
【補正方法】変更
【補正の内容】
【０２２０】
そして、アレンジ制御部２２１は、生体情報取得部３０からの生体情報や周辺環境情報取得部４０からの周辺環境情報、再生履歴情報保持部１５からの再生履歴情報を参照して、リスナーが明るい感じのものを要求しているか、そうではないかを判別し、楽曲再構成用属性情報テーブル２２４の感性値を参照して、実際にリミックスする楽曲素材を決定する。
【手続補正２４】
【補正対象書類名】明細書
【補正対象項目名】０２２５
【補正方法】変更
【補正の内容】
【０２２５】
このため、映像音響データデコード部２０５および映像音響アレンジ処理部２０６では、それらの複数個の映像音響データを並行して処理するものである。すなわち、映像音響データデコード部２０５と、映像音響アレンジ処理部２０６のテンポ補正回路２２５および音程補正回路２２６とは、図１７に示すように、並行して処理する映像音響データの数分（図１７では２個）の処理回路部を、機能的に、それぞれ備える構成となっている。
【手続補正２５】
【補正対象書類名】明細書
【補正対象項目名】０２２６
【補正方法】変更
【補正の内容】
【０２２６】
図１９は、リズムスレーブ部２２０の映像音響データデコード部２０５および映像音響アレンジ処理部２０６における楽曲信号の流れを、リズムマスター部２１０からの同期信号ＳＹＮＣに、同期させて示した図である。この場合、楽曲データ（音響データ）の再生信号のストリームの一つを楽曲トラックと呼ぶことにする。上述したように、リズムスレーブ部２２０においては、楽曲トラックは、複数個からなり、それぞれ楽曲トラックの楽曲データについて、テンポ補正や音程補正が必要に応じてなされた後、ミキサーおよびエフェクト回路２２７において最終的にミックスされる。
【手続補正２６】
【補正対象書類名】明細書
【補正対象項目名】０２３２
【補正方法】変更
【補正の内容】
【０２３２】
テンポ補正回路２２５は、音響データについて、音程を一定に保ちながら再生テンポのみを変更するように補正する回路である。この補正のアルゴリズムは、相関関数を使用する方法等、種々の方法が存在するが、この実施形態はそのアルゴリズムに特徴を有するものではないので、ここではその詳細な説明は省略する。
【手続補正２７】
【補正対象書類名】明細書
【補正対象項目名】０２３７
【補正方法】変更
【補正の内容】
【０２３７】
図２０は、リズムスレーブ部２２０の映像音響データデコード部２０５および映像音響アレンジ処理部２０６における楽曲信号の流れを、リズムマスター部２１０からの同期信号ＳＹＮＣに、同期させて示すと共に、リズムスレーブ部２２０の映像音響アレンジ部２０６における楽曲再構成の動作を、リズムマスター部２１０の楽曲再構成用データＡＲＩと対応させながら示す図である。
【手続補正２８】
【補正対象書類名】明細書
【補正対象項目名】０２５２
【補正方法】変更
【補正の内容】
【０２５２】
複数の元楽曲素材から１つの元楽曲素材が、例えばユーザインターフェース１１を通じて選択指定され、ループ再生が指定されると、属性情報記憶部２２から、指定された元楽曲素材情報が読み出され、リズムスレーブ部２２０の映像音響データデコード部２０５に供給される。そして、この映像音響データデコード部２０５と、映像音響アレンジ処理部２０６とにおいて、テンポ補正および音程補正を必要に応じて行いながら、ループ再生を実行する。
【手続補正２９】
【補正対象書類名】明細書
【補正対象項目名】０２７６
【補正方法】変更
【補正の内容】
【０２７６】
そして、リスナーの嗜好度がそれほど高くないと判別したときには、映像音響データ選択判断制御部２０１は、この実施形態では、周辺環境情報取得部４０から取得した周辺環境情報を加味して、現在再生中の楽曲と曲調が似ている楽曲を次の再生楽曲候補とする（ステップＳ７２）。すなわち、例えば、先ず、現在再生中の楽曲に付随する属性情報の楽曲構成情報と似ている楽曲構成情報を属性情報とする他の楽曲を選定する。そして、周辺環境情報取得部４０から取得した現在地の情報、例えば山や海などの情報を取得し、それらの場所において聴取することがお薦めとなっている周辺環境情報を属性情報に含む楽曲を、その選定された楽曲の中から選択して、次の再生楽曲候補とする。
【手続補正３０】
【補正対象書類名】明細書
【補正対象項目名】０２９０
【補正方法】変更
【補正の内容】
【０２９０】
ステップＳ９５で、ユーザの嗜好度がそれほど高くないと判別したときには、映像音響データ選択判断制御部２０１は、この実施形態では、周辺環境情報取得部４０から取得した周辺環境情報を加味して、現在再生中の楽曲と曲調が似ている楽曲を次の再生楽曲候補とする（ステップＳ９６）。
【手続補正３１】
【補正対象書類名】明細書
【補正対象項目名】０２９８
【補正方法】変更
【補正の内容】
【０２９８】
また、ステップＳ１０１で次ボタンが押下されてはいないと判別したときには、映像音響データ選択判断制御部２０１は、ユーザインターフェース１１の操作部を通じて、ユーザによりアレンジ指示がなされていないかどうかの判別を行ない（ステップＳ１０２）、アレンジ指示がなされていると判別したときには、ステップＳ９４に戻り、このステップＳ９４以降の処理を繰り返す。
【手続補正３２】
【補正対象書類名】明細書
【補正対象項目名】０３１４
【補正方法】変更
【補正の内容】
【０３１４】
次に、映像音響データ選択判断制御ＲＳ部２０１Ｓは、再生中の楽曲にリミックス処理を施すか否かを判別し（ステップＳ１２４）、リミックス処理をしないと判別したときには、再生対象の楽曲データを映像音響データデコード部２０５および映像音響アレンジ処理部２０６を通じて音響出力部５３および映像出力部５６に送出する（ステップＳ１２５）。
【手続補正３３】
【補正対象書類名】明細書
【補正対象項目名】０３１８
【補正方法】変更
【補正の内容】
【０３１８】
［第２の実施形態］
上述の第１の実施形態では、リズムマスター部２１０は、再生対象の音楽コンテンツの属性情報から抽出したＢＰＭ値、キー値、コード値を基準とし、再生対象の楽曲についての再構成処理として、リミックス処理をする場合を主として説明した。このため、再生対象の楽曲のテンポや音程を変更することの説明は特に行なわなかったが、リスナーの気分や、楽曲を聴取している場所などの周辺環境や、アレンジ用情報などを考慮して、再生対象の楽曲について、テンポや音程を変更補正し、楽曲の再構成処理をすることもできる。
【手続補正３４】
【補正対象書類名】明細書
【補正対象項目名】０３３４
【補正方法】変更
【補正の内容】
【０３３４】
一方、この第２の実施形態におけるリズムスレーブ部２２０は、第１の実施形態と同様に、ＲＳ部２０１Ｓと、属性情報取得部２０３と、生体情報取得部３０と、周辺環境情報取得部４０と、再生履歴情報保持部１５と、映像音響データ取得部２０４と、映像音響データデコード部２０５と、映像音響アレンジ処理部２０６とを備えて構成される。つまり、リズムスレーブ部２２０は、第１の実施形態とほぼ同様の構成とされる。
【手続補正３５】
【補正対象書類名】明細書
【補正対象項目名】０３４３
【補正方法】変更
【補正の内容】
【０３４３】
再生態様設定部２４０は、この第２の実施形態では、ユーザインターフェース１１を通じたユーザの同期選択入力により、同期信号ＳＹＮＣの発生を、内部リズム同期、外部リズム同期、生体リズム同期の何れにするかを決定し、同期信号生成部２３０の選択スイッチ回路２３４の選択制御信号を生成する。
【手続補正３６】
【補正対象書類名】明細書
【補正対象項目名】０３４４
【補正方法】変更
【補正の内容】
【０３４４】
［内部リズム同期］
（再生対象音楽コンテンツに同期）
内部リズム同期の場合には、再生対象の音楽コンテンツの属性情報に同期させるのか、ユーザインターフェース１１を通じてユーザ設定されたＢＰＭ値に同期させるのかが、さらに選択される。同様に、外部リズム同期の場合には、外部入力端子８を通じた外部入力信号またはマイクロホン９で収音された外部音声の何れに同期させるのかが、さらに選択される。
【手続補正３７】
【補正対象書類名】明細書
【補正対象項目名】０３４８
【補正方法】変更
【補正の内容】
【０３４８】
したがって、再生対象の音楽コンテンツの属性情報中のＢＰＭ値、キー値、コード値を含む楽曲再構成用データＡＲＩが、同期信号ＳＹＮＣに同期して、リズムスレーブ部２２０に出力される。この結果、リズムスレーブ部２２０では、第１の実施形態と同様にして、再生対象の音楽コンテンツの属性情報に基づいて楽曲に対する再構成がなされる。
【手続補正３８】
【補正対象書類名】明細書
【補正対象項目名】０３７０
【補正方法】変更
【補正の内容】
【０３７０】
上述した第１の実施形態では、最初に再生する楽曲は、ユーザが選択するようにした。この第２の実施形態においても、最初の楽曲は、ユーザが選択するようにしても良いが、内部リズム同期のユーザ設定による同期の場合や、外部リズム同期、また、生体リズム同期では、リズムスレーブ部２２０において、楽曲再構成用データＡＲＩに合致するあるいは近似する楽曲を、音楽コンテンツ記憶部２０の属性情報記憶部２２に記憶されている属性情報から検出して、再生をするようにすることもできる。
【手続補正３９】
【補正対象書類名】明細書
【補正対象項目名】０３７５
【補正方法】変更
【補正の内容】
【０３７５】
次に、抽出したＢＰＭ値に基づいて、小節同期信号ＰＨＳＹおよびビート同期信号ＢＴＳＹからなる同期信号ＳＹＮＣを生成する（ステップＳ２０４）。また、抽出したＢＰＭ値、キー値およびコード値を、ＢＰＭ値設定部２１７、キー値設定部２１８およびコード値設定部２１９に設定する（ステップＳ２０５）。
【手続補正４０】
【補正対象書類名】明細書
【補正対象項目名】０３７６
【補正方法】変更
【補正の内容】
【０３７６】
そして、ステップＳ２０４で生成した同期信号ＳＹＮＣと、ステップＳ２０５で設定したＢＰＭ値、キー値およびコード値からなる楽曲再構成用データＡＲＩとを、リズムスレーブ部２２０に送出する（ステップＳ２０６）。
【手続補正４１】
【補正対象書類名】明細書
【補正対象項目名】０３８８
【補正方法】変更
【補正の内容】
【０３８８】
また、曲調分析部１３での分析結果からＢＰＭ値、キー値、コード値を求め、当該求めたＢＰＭ値、キー値、コード値を楽曲再構成用データ生成部２１４に送って、そのＢＰＭ値設定部２１７、キー値設定部２１８、コード値設定部２１９に設定する（ステップＳ２３５）。
【手続補正４２】
【補正対象書類名】明細書
【補正対象項目名】０４０２
【補正方法】変更
【補正の内容】
【０４０２】
図３５は、この第２の実施形態において、リズムマスター部２１０からの同期信号ＳＹＮＣおよび楽曲再構成用データＡＲＩを受けたリズムスレーブ部２２０の映像音響データデコード部２０５および映像音響アレンジ処理部２０６における楽曲信号の流れを、リズムマスター部２１０からの同期信号ＳＹＮＣに、同期させて示すと共に、リズムスレーブ部２２０の映像音響アレンジ部２０６における楽曲再構成の動作を、リズムマスター部２１０の楽曲再構成用データＡＲＩと対応させながら示す図である。
【手続補正４３】
【補正対象書類名】明細書
【補正対象項目名】０４３１
【補正方法】変更
【補正の内容】
【０４３１】
もしも、クラシック風のアレンジのための属性情報が、前述したように、複数態様のクラシック風アレンジ用情報を含む場合には、クラシック風ボタン１１３をユーザが押下すると、そのクラシック風アレンジの複数の態様の一覧が、図１２（Ｂ）と同様に、ＬＣＤ表示画面１１１に表示される。このときには、十字型カーソルボタン１１２を操作して、いずれかのアレンジ態様を選択して、決定すると、そのアレンジ態様に、再生中楽曲が再構成されて再生される。
【手続補正４４】
【補正対象書類名】明細書
【補正対象項目名】０４３３
【補正方法】変更
【補正の内容】
【０４３３】
また、ＬＣＤ表示画面１１１にタッチパネルを貼付して、図３６や図３７の操作ボタン１１３〜１１７をＬＣＤ表示画面１１１に表示し、タッチパネルを通じてユーザが、それらの操作ボタンを操作するように構成してもよい。
【手続補正４５】
【補正対象書類名】図面
【補正対象項目名】図６
【補正方法】変更
【補正の内容】
【図６】
2006301471.tif 000001
【手続補正４６】
【補正対象書類名】図面
【補正対象項目名】図７
【補正方法】変更
【補正の内容】
【図７】
2006301471.tif 000002
【手続補正４７】
【補正対象書類名】図面
【補正対象項目名】図９
【補正方法】変更
【補正の内容】
【図９】
2006301471.tif 000003
【手続補正４８】
【補正対象書類名】図面
【補正対象項目名】図２０
【補正方法】変更
【補正の内容】
【図２０】
2006301471.tif 000004
【手続補正４９】
【補正対象書類名】図面
【補正対象項目名】図２３
【補正方法】変更
【補正の内容】
【図２３】
2006301471.tif 000005
【手続補正５０】
【補正対象書類名】図面
【補正対象項目名】図３５
【補正方法】変更
【補正の内容】
【図３５】
2006301471.tif 000006